(57)【要約】【課題】ユーザおよび広告主の双方に有益な情報を提供することのできる広告システムを提供する。【解決手段】デジタルサイネージは１つの画面に同時に２以上の広告を表示可能であって、その管理装置は、デジタルサイネージでの表示を切り替えるタイミングに達すると、表示する２つ以上の広告の組み合わせを決定し（Ｓ１０１）、決定された広告それぞれの広告情報を読み出して表示データを生成してデジタルサイネージに表示させる（Ｓ１０５）。デジタルサイネージに表示された２つ以上の広告のうちから１つの広告が選択されると（Ｓ１１１でＹＥＳ）、管理装置は、選択された１つの広告以外の他の広告に関しては規定された費用を徴収し、選択された１つの広告に関しては規定された費用を支払うように、２つ以上の広告それぞれに関する費用管理を実行する（Ｓ１２１）。【選択図】図１２
2014048700.tif 000002
【特許請求の範囲】
【請求項１】
広告を表示するための表示装置と、
前記表示装置での広告の表示を管理するための管理装置とを備え、
前記表示装置は１つの画面に同時に２以上の広告を表示可能であり、
前記表示装置に広告を表示させるための情報である広告情報を記憶するための第１の記憶手段と、
前記表示装置で表示する前記２つ以上の広告の組み合わせを決定するための決定手段と、
前記決定手段で決定された広告それぞれの広告情報から表示データを生成し、前記表示装置に表示させる制御手段と、
前記表示装置に表示された前記２つ以上の広告のうちから１つの広告の選択を受け付けるための第１の入力手段と、
広告ごとの費用管理を行なうための費用管理手段とを含み、
前記費用管理手段は、前記表示装置に表示された前記２つ以上の広告から前記１つの広告が選択されたことに応じて、前記２つ以上の広告のうちの、選択された前記１つの広告以外の他の広告に関しては規定された費用を前記他の広告の依頼主から徴収し、前記選択された１つの広告に関しては規定された費用を前記１つの広告の依頼主に支払うように、前記２つ以上の広告それぞれに関する費用管理を実行する、広告システム。
【請求項２】
広告に関連付けられた、クーポンを出力するための情報を記憶するための第２の記憶手段と、
前記第１の入力手段で、前記表示装置に表示された前記２つ以上の広告のうちから１つの広告の選択を受け付けると、前記１つの広告に関連付けられたクーポンを出力するための出力手段とをさらに含み、
前記費用管理手段は、前記出力手段で前記クーポンを出力したことに応じて前記表示装置に表示された前記２つ以上の広告それぞれに関する前記費用管理を実行する、請求項１に記載の広告システム。
【請求項３】
前記出力手段は、前記１つの広告に関連付けられたクーポンに、前記１つの広告の選択を受け付けた際に前記表示装置に表示された前記２つ以上の広告のうちの前記１つの広告以外の広告を組み込んで前記クーポンを出力する、請求項２に記載の広告システム。
【請求項４】
前記第２の記憶手段は、同一の広告に関連付けて、クーポンを出力するための情報を複数種類、記憶し、
前記出力手段は、前記複数種類の情報の中から選択した情報を用いて前記クーポンを生成して出力する、請求項１または３に記載の広告システム。
【請求項５】
前記表示装置は端末装置と通信するための通信手段を含み、
前記出力手段は前記通信手段を介して前記クーポンを前記端末装置に送信する、請求項２〜４のいずれかに記載の広告システム。
【請求項６】
前記第１の入力手段は、前記通信手段を介して前記端末装置から表示された前記２つ以上の広告のうちの前記１つの広告の選択を受け付ける、請求項５に記載の広告システム。
【請求項７】
前記表示装置で表示する１つの広告の選択を受け付けるための第２の入力手段をさらに含み、
前記決定手段は、前記第２の入力手段で受け付けた選択によって指定された１つの広告と他の広告との組み合わせを決定し、
前記費用管理手段は、前記第２の入力手段で前記選択を受け付けたことに応じて、前記２つ以上の広告のうちの前記指定された１つの広告以外の前記他の広告に関しては規定された費用を前記他の広告の依頼主から徴収し、前記指定された１つの広告に関しては規定された費用を前記１つの広告の依頼主に支払うように、前記２つ以上の広告それぞれに関する費用管理を実行する、請求項１〜６のいずれかに記載の広告システム。
【請求項８】
広告を表示するための表示装置での広告の表示を管理するための広告管理装置であって、
前記表示装置は１つの画面に同時に２以上の広告を表示可能であり、
前記表示装置に広告を表示させるための情報である広告情報を記憶するための第１の記憶手段と、
前記表示装置で表示する前記２つ以上の広告の組み合わせを決定するための決定手段と、
前記決定手段で決定された広告それぞれの広告情報から表示データを生成し、前記表示装置に表示させる制御手段と、
前記表示装置に表示された前記２つ以上の広告のうちから１つの広告の選択を受け付けるための第１の入力手段と、
広告ごとの費用管理を行なうための費用管理手段とを備え、
前記費用管理手段は、前記表示装置に表示された前記２つ以上の広告から前記１つの広告が選択されたことに応じて、前記２つ以上の広告のうちの、選択された前記１つの広告以外の他の広告に関しては規定された費用を前記他の広告の依頼主から徴収し、前記選択された１つの広告に関しては規定された費用を前記１つの広告の依頼主に支払うように、前記２つ以上の広告それぞれに関する費用管理を実行する、広告管理装置。
【請求項９】
１つの画面に同時に２以上の広告を表示可能な表示装置での、広告の表示の管理方法であって、
前記表示装置での表示を切り替えるタイミングに達すると、前記表示装置で表示する２つ以上の広告の組み合わせを決定するステップと、
前記表示装置に広告を表示させるための情報である広告情報を予め記憶している記憶装置から、決定された広告それぞれの広告情報を読み出して表示データを生成し、前記表示装置に表示させるステップと、
前記表示装置に表示された前記２つ以上の広告のうちから１つの広告の選択を受け付けるステップと、
前記表示装置に表示された前記２つ以上の広告のうちの、選択された前記１つの広告以外の他の広告に関しては規定された費用を前記他の広告の依頼主から徴収し、前記選択された１つの広告に関しては規定された費用を前記１つの広告の依頼主に支払うように、前記２つ以上の広告それぞれに関する費用管理を実行するステップとを備える、広告管理方法。
【請求項１０】
広告を表示するための表示装置での広告の表示を管理する処理をコンピュータに実行させるプログラムであって、
前記プログラムは、
前記表示装置での表示を切り替えるタイミングに達すると、前記表示装置で表示する２つ以上の広告の組み合わせを決定するステップと、
前記表示装置に広告を表示させるための情報である広告情報を予め記憶している記憶装置から、決定された広告それぞれの広告情報を読み出して表示データを生成し、前記表示装置に表示させるステップと、
前記表示装置に表示された前記２つ以上の広告のうちから１つの広告の選択を受け付けるステップと、
前記表示装置に表示された前記２つ以上の広告のうちの、選択された前記１つの広告以外の他の広告に関しては規定された費用を前記他の広告の依頼主から徴収し、前記選択された１つの広告に関しては規定された費用を前記１つの広告の依頼主に支払うように、前記２つ以上の広告それぞれに関する費用管理を実行するステップとを前記コンピュータに実行させる、広告管理プログラム。
【発明の詳細な説明】
【技術分野】
【０００１】
この発明は広告システム、広告管理装置、広告管理方法、および広告管理プログラムに関し、特に、デジタルサイネージと呼ばれる双方向通信可能な表示装置を利用した広告システム、広告管理装置、広告管理方法、および広告管理プログラムに関する。
【背景技術】
【０００２】
デジタルサイネージと呼ばれる双方向通信可能な表示装置を利用して広告を表示するシステムがある。デジタルサイネージは規定された表示データに基づいて店舗や会社などの広告主からの広告を表示し、携帯電話等の携帯端末とＦｅｌｉｃａ（登録商標）の通信方式やＮＦＣ（Near  Field  Communication）規格に応じた通信方式などで無線通信を行なうことで地図や金券などの情報（以下、クーポン情報とも称する）を携帯端末に提供するものである。
【０００３】
ユーザ側からは、デジタルサイネージを見たりクーポン情報を得たりすることで、新たな店舗を知ることができたり金券などの利得が得られたりしたいという要望がある。
【０００４】
一方で、広告主側からは、デジタルサイネージを駅等の人目に付きやすい場所に設置し、より宣伝効果を高めることが要求されている。その宣伝効果は、クーポン情報をより多くのユーザが取得して来店することであったり、表示されている広告をより多くのユーザが見ることであったりする。
【０００５】
たとえば特開２００３−８５４３１号公報（以下、特許文献１）は、クーポン発行装置を開示しており、この技術をデジタルサイネージシステムに組み込むことで、ユーザおよび広告主双方の要求が満たされることもある。
【先行技術文献】
【特許文献】
【０００６】
【特許文献１】特開２００３−８５４３１号公報
【発明の概要】
【発明が解決しようとする課題】
【０００７】
しかしながら、デジタルサイネージでは複数の広告主によるそれぞれの広告が表示されるため、各広告主がそれぞれに宣伝効果を得たいという要求がある。また、デジタルサイネージでの広告表示の管理を容易にしたい、という要求もある。
【０００８】
本発明はこのような課題に鑑みてなされたものであって、ユーザおよび広告主の双方に有益な情報を提供することのできる広告システム、広告管理装置、広告管理方法、および広告管理プログラムを提供することを目的としている。
【課題を解決するための手段】
【０００９】
上記目的を達成するために、本発明のある局面に従うと、広告システムは広告を表示するための表示装置と表示装置での広告の表示を管理するための管理装置とを備える。表示装置は１つの画面に同時に２以上の広告を表示可能である。広告システムは、表示装置に広告を表示させるための情報である広告情報を記憶するための第１の記憶手段と、表示装置で表示する２つ以上の広告の組み合わせを決定するための決定手段と、決定手段で決定された広告それぞれの広告情報から表示データを生成し、表示装置に表示させる制御手段と、表示装置に表示された２つ以上の広告のうちから１つの広告の選択を受け付けるための第１の入力手段と、広告ごとの費用管理を行なうための費用管理手段とを含む。費用管理手段は、表示装置に表示された２つ以上の広告から１つの広告が選択されたことに応じて、２つ以上の広告のうちの、選択された１つの広告以外の他の広告に関しては規定された費用を当該広告の依頼主から徴収し、選択された１つの広告に関しては規定された費用を当該広告の依頼主に支払うように、２つ以上の広告それぞれに関する費用管理を実行する。
【００１０】
好ましくは、広告システムは、広告に関連付けられた、クーポンを出力するための情報を記憶するための第２の記憶手段と、第１の入力手段で、表示装置に表示された２つ以上の広告のうちから１つの広告の選択を受け付けると、１つの広告に関連付けられたクーポンを出力するための出力手段とをさらに含む。費用管理手段は、出力手段でクーポンを出力したことに応じて表示装置に表示された２つ以上の広告それぞれに関する費用管理を実行する。
【００１１】
より好ましくは、出力手段は、１つの広告に関連付けられたクーポンに、当該１つの広告の選択を受け付けた際に表示装置に表示された２つ以上の広告のうちの当該１つの広告以外の広告を組み込んでクーポンを出力する。
【００１２】
より好ましくは、第２の記憶手段は、同一の広告に関連付けて、クーポンを出力するための情報を複数種類、記憶し、出力手段は、複数種類の情報の中から選択した情報を用いてクーポンを生成して出力する。
【００１３】
より好ましくは、表示装置は端末装置と通信するための通信手段を含み、出力手段は通信手段を介してクーポンを端末装置に送信する。
【００１４】
より好ましくは、第１の入力手段は、通信手段を介して端末装置から表示された２つ以上の広告のうちの１つの広告の選択を受け付ける。
【００１５】
好ましくは、広告システムは表示装置で表示する１つの広告の選択を受け付けるための第２の入力手段をさらに含み、決定手段は、第２の入力手段で受け付けた選択によって指定された１つの広告と他の広告との組み合わせを決定し、費用管理手段は、第２の入力手段で選択を受け付けたことに応じて、２つ以上の広告のうちの指定された１つの広告以外の他の広告に関しては規定された費用を当該広告の依頼主から徴収し、指定された１つの広告に関しては規定された費用を当該広告の依頼主に支払うように、２つ以上の広告それぞれに関する費用管理を実行する。
【００１６】
本発明の他の局面に従うと、広告管理装置は広告を表示するための表示装置での広告の表示を管理するための広告管理装置であって、表示装置は１つの画面に同時に２以上の広告を表示可能であり、表示装置に広告を表示させるための情報である広告情報を記憶するための第１の記憶手段と、表示装置で表示する２つ以上の広告の組み合わせを決定するための決定手段と、決定手段で決定された広告それぞれの広告情報から表示データを生成し、表示装置に表示させる制御手段と、表示装置に表示された２つ以上の広告のうちから１つの広告の選択を受け付けるための第１の入力手段と、広告ごとの費用管理を行なうための費用管理手段とを備える。費用管理手段は、表示装置に表示された２つ以上の広告から１つの広告が選択されたことに応じて、２つ以上の広告のうちの、選択された１つの広告以外の他の広告に関しては規定された費用を当該広告の依頼主から徴収し、選択された１つの広告に関しては規定された費用を当該広告の依頼主に支払うように、２つ以上の広告それぞれに関する費用管理を実行する。
【００１７】
本発明のさらに他の局面に従うと、広告管理方法は１つの画面に同時に２以上の広告を表示可能な表示装置での、広告の表示の管理方法であって、表示装置での表示を切り替えるタイミングに達すると、表示装置で表示する２つ以上の広告の組み合わせを決定するステップと、表示装置に広告を表示させるための情報である広告情報を予め記憶している装置から、決定された広告それぞれの広告情報を読み出して表示データを生成し、表示装置に表示させるステップと、表示装置に表示された２つ以上の広告のうちから１つの広告の選択を受け付けるステップと、表示装置に表示された２つ以上の広告のうちの、選択された１つの広告以外の他の広告に関しては規定された費用を当該広告の依頼主から徴収し、選択された１つの広告に関しては規定された費用を当該広告の依頼主に支払うように、２つ以上の広告それぞれに関する費用管理を実行するステップとを備える。
【００１８】
本発明のさらに他の局面に従うと、広告管理プログラムは広告を表示するための表示装置での広告の表示を管理する処理をコンピュータに実行させるプログラムであって、表示装置での表示を切り替えるタイミングに達すると、表示装置で表示する２つ以上の広告の組み合わせを決定するステップと、表示装置に広告を表示させるための情報である広告情報を予め記憶している記憶装置から、決定された広告それぞれの広告情報を読み出して表示データを生成し、表示装置に表示させるステップと、表示装置に表示された２つ以上の広告のうちから１つの広告の選択を受け付けるステップと、表示装置に表示された２つ以上の広告のうちの、選択された１つの広告以外の他の広告に関しては規定された費用を当該広告の依頼主から徴収し、選択された１つの広告に関しては規定された費用を当該広告の依頼主に支払うように、２つ以上の広告それぞれに関する費用管理を実行するステップとをコンピュータに実行させる。
【発明の効果】
【００１９】
この発明によると、デジタルサイネージを利用して、ユーザおよび広告主の双方に有益な情報を提供することができ、かつ、その管理を容易にすることができる。
【図面の簡単な説明】
【００２０】
【図１】実施の形態にかかる広告システムとしてのデジタルサイネージシステム（以下、システムと略す）の構成の具体例を示す図である。
【図２】システムに含まれるサーバの装置構成の具体例を示すブロック図である。
【図３】システムに含まれるデジタルサイネージの装置構成の具体例を示すブロック図である。
【図４】広告主としての店舗に設置されるＰＣの装置構成の具体例を示すブロック図である。
【図５】携帯端末の装置構成の具体例を示すブロック図である。
【図６】システムでの動作概要として、データの流れの具体例を表わした図である。
【図７】デジタルサイネージの表示画面の構成の具体例を表わした図である。
【図８】クーポンの構成の具体例を表わした図である。
【図９】サーバでの費用管理の流れを表わした図である。
【図１０】デジタルサイネージの機能構成の具体例を示すブロック図である。
【図１１】サーバの機能構成の具体例を示すブロック図である。
【図１２】サーバでの動作の流れを表わしたフローチャートである。
【発明を実施するための形態】
【００２１】
以下に、図面を参照しつつ、本発明の実施の形態について説明する。以下の説明では、同一の部品および構成要素には同一の符号を付してある。それらの名称および機能も同じである。したがって、それらについての詳細な説明は繰り返さない。
【００２２】
＜システム構成＞
図１は、本実施の形態にかかる広告システムとしてのデジタルサイネージシステム（以下、システムと略す）の構成の具体例を示す図である。
【００２３】
図１を参照して、本実施の形態にかかるシステムは、広告を表示するためのデジタルサイネージ２００と、当該システムの管理装置であり、デジタルサイネージ２００での広告の表示や後述するクーポンの提供などを制御するためのサーバ１００と、広告主としての店舗に設置されるＰＣ（パーソナルコンピュータ）３００Ａ，３００Ｂ，３００Ｃ，…と、デジタルサイネージ２００からクーポンの提供を受けるための携帯電話機等の携帯端末５００とを含む。なお、ＰＣ３００Ａ，３００Ｂ，３００Ｃ，…を代表させてＰＣ３００と称する。デジタルサイネージ２００は複数台であってもよい。
【００２４】
サーバ１００とＰＣ３００とは、インターネットやＷＡＮ（Wide  Area  Network）などネットワーク４００を介して相互に通信可能である。サーバ１００とデジタルサイネージ２００とも相互に通信可能であり、その通信は、直接、有線または無線で接続されることによる通信であってもよいし、無線通信であってもよいし、ネットワーク４００を介したものであってもよい。デジタルサイネージ２００と携帯端末５００とは、Ｆｅｌｉｃａ（登録商標）の通信方式やＮＦＣ規格に応じた通信方式などの無線通信を行なって相互に通信可能である。デジタルサイネージ２００が複数台含まれるときには、それぞれがサーバ１００と通信可能である。
【００２５】
＜装置構成＞
図２は、サーバ１００の装置構成の具体例を示すブロック図である。サーバ１００は一般的なパーソナルコンピュータ（ＰＣ）で構成されていてよく、図２に示されるサーバ１００の構成は一般的なＰＣの構成と同様である。
【００２６】
すなわち、図２を参照して、サーバ１００は、全体を制御するための演算装置であるＣＰＵ（Central  Processing  Unit）１０と、ＣＰＵ１０で実行されるプログラム（アプリケーション）などを記憶するためのＲＯＭ（Read  Only  Memory）１１と、ＣＰＵ１０でプログラムを実行する際の作業領域として機能するためのＲＡＭ（Random  Access  Memory）１２と、後述する広告情報やクーポン情報や費用情報などを記憶するためメモリ１３と、当該サーバ１００に対する操作入力を受け付けるための操作部１４と、ＰＣ３００と通信を行なうための第１通信部１７と、デジタルサイネージ２００との間で通信を行なうための第２通信部１８とを含む。
【００２７】
上の例は一例であって、たとえば、操作部１４が含まれていなくてもよいし、図示されていないディスプレイがさらに含まれていてもよい。
【００２８】
図３は、デジタルサイネージ２００の装置構成の具体例を示すブロック図である。デジタルサイネージ２００もまた（大型の）ディスプレイを備えた一般的なパーソナルコンピュータ（ＰＣ）で構成されていてよく、図の構成は一般的なＰＣの構成と同様である。
【００２９】
すなわち、図３を参照して、デジタルサイネージ２００は、全体を制御するための演算装置であるＣＰＵ２０と、ＣＰＵ２０で実行されるプログラム（アプリケーション）などを記憶するためのＲＯＭ２１と、ＣＰＵ２０でプログラムを実行する際の作業領域として機能するためのＲＡＭ２２と、サーバ１００からの広告情報やクーポン情報などを記憶するためメモリ２３と、当該デジタルサイネージ２００に対する操作入力を受け付けるための操作部２４と、ディスプレイ２５と、サーバ１００と通信を行なうための第２通信部２８と、Ｆｅｌｉｃａ（登録商標）の通信方式やＮＦＣ規格に応じた通信方式などで携帯端末５００と通信を行なうための第３通信部２９とを含む。
【００３０】
上の例は一例であって、たとえば、操作部２４とディスプレイ２５とが一体となってタッチパネルで構成されていてもよいし、図示されていないカメラやマイクなどの周辺情報を取得するための装置がさらに含まれていてもよい。また、後述するクーポンを印刷用紙に印刷して提供するための印刷装置がさらに含まれてもよい。
【００３１】
図４は、広告主としての店舗に設置されるＰＣ３００の装置構成の具体例を示すブロック図である。ＰＣ３００もまた一般的なパーソナルコンピュータ（ＰＣ）で構成されていてよく、図４に示されるＰＣ３００の構成は一般的なＰＣの構成と同様である。
【００３２】
すなわち、図４を参照して、ＰＣ３００は、全体を制御するための演算装置であるＣＰＵ３０と、ＣＰＵ３０で実行されるプログラム（アプリケーション）などを記憶するためのＲＯＭ３１と、ＣＰＵ３０でプログラムを実行する際の作業領域として機能するためのＲＡＭ３２と、デジタルサイネージ２００に表示させるための広告情報やデジタルサイネージ２００でクーポンを提供させるためのクーポン情報などを記憶するためメモリ３３と、当該ＰＣ３００に対する操作入力を受け付けるための操作部３４と、ディスプレイ３５と、ネットワーク４００を介してサーバ１００と通信を行なうための第１通信部３７とを含む。
【００３３】
上の例は一例であって、たとえば、操作部３４とディスプレイ３５とが一体となってタッチパネルで構成されていてもよいし、図示されていないカメラやバーコードリーダなどのクーポンの読取装置がさらに含まれていてもよい。
【００３４】
図５は、携帯端末５００の装置構成の具体例を示すブロック図である。
図５を参照して、携帯端末５００は、全体を制御するための演算装置であるＣＰＵ５０と、ＣＰＵ５０で実行されるプログラム（アプリケーション）などを記憶するためのＲＯＭ５１と、ＣＰＵ５０でプログラムを実行する際の作業領域として機能するためのＲＡＭ５２と、デジタルサイネージ２００から取得したクーポン情報などを記憶するためメモリ５３と、当該携帯端末５００に対する操作入力を受け付けるための操作部５４と、ディスプレイ５５と、Ｆｅｌｉｃａ（登録商標）の通信方式やＮＦＣ規格に応じた通信方式などでデジタルサイネージ２００と通信を行なうための第３通信部５９とを含む。
【００３５】
上の例は一例であって、たとえば、操作部５４とディスプレイ５５とが一体となってタッチパネルで構成されていてもよい。また、当該携帯端末５００が携帯電話機である場合には、通話機能やメール送受信機能などを実現するための装置がさらに含まれる。
【００３６】
＜動作概要＞
図６は、本実施の形態にかかるシステムでの動作概要として、データの流れの具体例を表わした図である。
【００３７】
図６を参照して、広告主としての店舗に設置されるＰＣ３００Ａ，３００Ｂ，３００Ｃ，…からは、それぞれ、サーバ１００に対して、デジタルサイネージ２００での広告表示用のデータを生成するための情報である広告情報と、デジタルサイネージ２００で当該広告に関連したクーポンを提供させるためのクーポン情報とが渡される（ステップＳ１）。
【００３８】
ここで、「クーポン」とは、デジタルサイネージ２００の表示画面よりも小さな、携帯可能な媒体に表示された、広告主の店舗の広告や地図や金券などの情報を指す。以降の例では、携帯端末５００のディスプレイ５５に表示されるこれら情報を指す。他の例として、携帯可能なサイズの印刷用紙に印刷されたものであってもよい。
【００３９】
クーポンを表示させるためのデータを「クーポンデータ」と称し、クーポンデータを生成するために広告主がサーバ１００に提供する情報を「クーポン情報」と称する。クーポン情報は広告情報に関連付けられている。
【００４０】
サーバ１００は、ＰＣ３００からの広告情報を用いてデジタルサイネージ２００で広告を表示させる表示データを生成すると共に、その表示を管理する表示管理処理を実行する（ステップＳ２）。また、デジタルサイネージ２００で提供するクーポンデータを生成すると共に、その提供を管理するクーポン提供処理を実行する（ステップＳ３）。生成された広告の表示データおよびクーポンデータは、サーバ１００からデジタルサイネージ２００に渡される（ステップＳ４）。
【００４１】
デジタルサイネージ２００では、サーバ１００からの制御に従って表示データに基づいて広告を表示する（ステップＳ５）。また、携帯端末５００からクーポンの要求を受け付けると（ステップＳ６）、サーバ１００にその旨を通知することでサーバ１００から渡された該当するクーポンデータを携帯端末５００に対して送信する（ステップＳ７）。
【００４２】
デジタルサイネージ２００はクーポンデータを送信すると、当該提供時の情報をサーバ１００に対して送信する（ステップＳ８）。以降の説明において、この情報を「クーポン提供時情報」とも称する。クーポン提供時情報は、たとえばクーポン要求時に携帯端末５００から取得した携帯端末５００自身の情報や関連付けられたユーザに関する情報であってもよいし、クーポン提供時刻や天候などの提供時に関する情報であってもよいし、カメラ等の周辺情報を取得する手段が備えられている場合にはそれらによって得られた情報（撮影画像等）であってもよいし、その情報を解析することで得られるユーザの情報であってもよい。
【００４３】
サーバ１００は、広告の表示およびクーポンの提供に基づいて費用管理のための処理を実行し（ステップＳ９）、その結果得られた広告主への請求額や支払額などの広告主ごとの費用情報を該当するＰＣ３００に対して送信する（ステップＳ１０）。ここでは、費用情報の提供にとどまらず、電子的に請求を行なったり支払いを行なったりするものであってもよい。
【００４４】
クーポンにはたとえばバーコードなどの光学的に読み取り可能な情報の表示が含まれていてもよい。表示される情報には、たとえば、発行日時や、該クーポンを発行したデジタルサイネージ２００を特定する情報や、クーポン提供時情報などが含まれる。
【００４５】
ＰＣ３００がバーコードリーダなどの図示しない読取装置を備える場合、または該読取装置と接続されている場合、当該クーポンを持参したユーザが来店した際に、ＰＣ３００はそのクーポンから情報を読み取ることができる。そして、ＰＣ３００はクーポン提供時情報などのクーポンから読み取った情報や、その情報に加えて読取日時や読み取ったときの気温や天候などの環境情報などを、来店情報としてサーバ１００に送信するようにしてもよい。このようにすることで、サーバ１００は、ＰＣ３００から読み取られたクーポンの情報を来店情報として取得し（ステップＳ１１）、費用管理で用いてもよい。
【００４６】
また、サーバ１００は、表示管理処理やクーポン提供処理において、デジタルサイネージ２００からのクーポン提供時情報を用いてもよい。
【００４７】
図７は、デジタルサイネージ２００の表示画面の構成の具体例を表わした図である。
図７を参照して、本実施の形態にかかるシステムでは、デジタルサイネージ２００で、１つの表示画面に複数の広告が一度に表示される。図７では、表示領域２５１が広告を表示する領域を表わし、表示領域２５１に複数の広告の例として広告１と広告２との２つの広告が同時に表示される例が表わされている。表示領域２５１に表示される広告は３以上であってもよい。また、表示サイズは図７のように概ね同じサイズであってもよいし、異なるサイズであってもよい。また、複数の広告はそれぞれの少なくとも一部が見えるようになっていればよく、他の部分が他の広告に重なっていてもよい。
【００４８】
さらに、表示画面には、広告の切り替えを指示するためのメニューを表示する表示領域２５２が含まれてもよい。メニューは、図示されているように他の広告の表示を指示するためのアイコンであってもよいし、単に、広告の変更を指示するボタンであってもよい。ディスプレイ２５がタッチパネルで構成されて操作部２４も含む場合、表示領域２５２のメニューはタッチされることで広告の切り替えの指示を受け付けることができる。
【００４９】
表示画面に表示されている複数の広告のうちの１つの広告を選択することで、当該広告に関連付けられているクーポンデータが携帯端末５００に送信される。以降の説明において、表示画面に同時に表示されている複数の広告のうちの、選択された１つの広告を「メイン広告」、選択されていない他の広告を「サブ広告」とも称する。
【００５０】
メイン広告を選択してクーポンデータを得る方法の一例として、ディスプレイ２５に第３通信部２９が設けられている場合、表示領域２５１に表示されている複数の広告のうちのメイン広告に携帯端末５００でタッチしたり携帯端末５００をかざしたりする方法が挙げられる。他の例として、ディスプレイ２５がタッチパネルで構成された操作部２４も含む場合、メイン広告にタッチして選択状態とした上で携帯端末５００をデジタルサイネージ２００と通信可能な状態とする方法が挙げられる。なお、携帯端末５００を用いない場合、図示しない印刷装置で印刷するようにしてもよい。
【００５１】
なお、図７の表示画面はデジタルサイネージ２００の表示画面の一部であってもよい。すなわち、デジタルサイネージ２００は、図示された内容の他、たとえば時刻表示や天気予報やニュースなどの他の情報を表示したり、ゲームなどの遊戯を提供したり、特定の店舗での注文を受け付ける画面を表示したりする領域が設けられてもよい。
【００５２】
図８は、クーポンの構成の具体例を表わした図である。本例ではクーポンが携帯端末５００のディスプレイ５５に表示されるものとしているため、図８はディスプレイ５５でのクーポンの表示画面例を表わしている。図８では、スクロールするなどして表示されるクーポン全体を表わしている。なお、クーポンは先述のように印刷用紙に印刷されるものであってもよい。この場合、図８は印刷用紙に印刷された例を表わしている。
【００５３】
図８を参照して、クーポンには、メイン広告に関連付けられたクーポンデータに基づく情報が表示される。クーポンデータに基づく情報としては、図示されたように、金券（割引券）、店舗の広告、地図、店舗広告用のウェブページのＵＲＬ（Uniform  Resource  Locators）、さらに、店舗の紹介、会員登録用のウェブページのＵＲＬ、イベントの案内、整理券などが含まれてもよい。
【００５４】
好ましくは、図示されたようにサブ広告が含まれてもよい。このようにすることで、サブ広告の宣伝効果を高めることができる。図８の例はデジタルサイネージ２００の表示画面に図７の表示がされているときに広告１が選択された場合のクーポンの例を表わしている。図７の例では、広告１と同時に広告２が表示されているために、広告１のクーポンには広告２の内容が含まれる。なお、クーポンに含まれるサブ広告は、表示されるサブ広告と同じものであってもよいし、クーポン用に広告情報として用意されているものであってもよいし、表示される広告の一部であってもよい。
【００５５】
なお、クーポンにおけるサブ広告の位置は、図８の例では最後尾（最も下）であるものとしているが、先頭にしてもよいし、金券に隣接する位置としてもよい。このような位置とすることで、クーポン閲覧時や使用時にサブ広告が閲覧される可能性が高まり、サブ広告の宣伝効果をより高めることができる。
【００５６】
図９は、サーバ１００での費用管理の流れを表わした図である。図９においてＰＣ３００Ａはメイン広告の広告主のＰＣとし、ＰＣ３００Ｂはサブ広告の広告主のＰＣとする。
【００５７】
図９を参照して、サーバ１００は、各広告主に対して広告表示のための課金（費用請求）を行なう。そのため、広告主ごとの費用情報に広告表示のための費用（広告表示費用）を減額（徴収）する費用管理を行なう（ステップＣ１）。
【００５８】
さらに、サーバ１００は、クーポンを提供した広告主に対しては、当該システムが該広告主に対して顧客獲得の機会を提供したものとして、クーポン提供のための課金（費用請求）を行なう。そのため、サーバ１００は、クーポンを提供した広告主の費用情報にクーポン提供のための費用（クーポン提供費用）を減額（徴収）する費用管理を行なう（ステップＣ２）。
【００５９】
サーバ１００は、サブ広告の広告主に対しては、当該システムが該広告主に対してクーポンを取得したユーザがメイン広告と同時に広告を閲覧する機会を提供したものとして、広告の閲覧機会提供のための課金（費用請求）を行なう。そのため、サーバ１００は、サブ広告の広告主の費用情報に広告の閲覧機会提供のための費用（広告閲覧費用）を減額（徴収）する費用管理を行なう（ステップＣ３）。
【００６０】
これと共に、サーバ１００は、メイン広告の広告主に対しては、該広告主が当該システムに対してクーポン提供時にサブ広告の閲覧の機会を提供したものとして、広告の閲覧機会提供のための支払いを行なう。そのため、サーバ１００は、メイン広告の広告主の費用情報に広告の閲覧機会提供のための費用（閲覧提供費用）を増額（支払い）する費用管理を行なう（ステップＣ４）。
【００６１】
なお、サーバ１００によるサブ広告の広告主に対する広告閲覧費用の徴収（ステップＣ３）と、メイン広告の広告主に対する閲覧提供費用の支払い（ステップＣ４）とは、金額情報の流れに着目すると、サブ広告の広告主からメイン広告の広告主に対して、いわゆるアフィリエイトと呼ばれる、クーポン提供時に広告閲覧の機会が提供されたことによる報酬の支払いと同じ仕組みとなる。
【００６２】
他の例として、サブ広告の広告主に対する広告閲覧費用の徴収（Ｃ３）とメイン広告の広告主に対する閲覧提供費用の支払い（Ｃ４）とは、提供されたクーポンが店舗等において利用された際に行なわれてもよい。または、クーポンにサブ広告が挿入されて発行された際になされてもよい。または、デジタルサイネージ２００においてユーザから広告が指定されて表示の切り替えが指示され、その広告をメイン広告として同時にサブ広告が表示された際に行なわれてもよい。
【００６３】
＜機能構成＞
図１０は、上記動作を行なうためのデジタルサイネージ２００の機能構成の具体例を示すブロック図である。図１０の各機能は、デジタルサイネージ２００のＣＰＵ２０がＲＯＭ２１に記憶されているプログラムを読み出してＲＡＭ２２上に展開しつつ実行することで、主にＣＰＵ２０に形成されるものである。しかしながら、少なくとも一部が、図３に表わされたハードウェア構成によって実現されてもよい。
【００６４】
図１０を参照して、デジタルサイネージ２００のＣＰＵ２０は、サーバ１００から第２通信部２８を介して表示データの入力を受け付けると共にその表示の指示を受け付けるための表示データ入力部２０１と、表示データに基づいてディスプレイ２５に広告を表示するための表示制御部２０２と、携帯端末５００から第３通信部２９を介してクーポンの要求を受け付けるためのクーポン要求入力部２０３と、携帯端末５００から第３通信部２９を介してディスプレイ２５に表示された広告の表示の切り替えの指示を受け付けるための切替指示入力部２０４と、これら指示内容を第２通信部２８を介してサーバ１００に対して送信するための指示送信部２０５と、クーポンの要求をサーバ１００に送信することによってサーバ１００から第２通信部２８を介して該当するクーポンデータの入力を受け付けるためのクーポンデータ入力部２０６と、クーポンデータを第３通信部２９を介して携帯端末５００に対して送信するためのクーポンデータ送信部２０７とを含む。
【００６５】
さらに、ＣＰＵ２０は、携帯端末５００からクーポンの要求を受け付けた際にクーポン提供時情報を取得するための機能を有する。この機能は、図示しないカメラやマイクにて周囲の情報を取得（撮影、録音等）するものであってもよいし、第３通信部２９で携帯端末５００と通信することで携帯端末５００から受信するものであってもよい。さらに、この機能は、撮影画像を解析して、ユーザの性別や人数や年齢等を解析する機能であってもよい。そして、ＣＰＵ２０は、クーポン提供時情報を第２通信部２８を介してサーバ１００に送信するための機能もさらに有する。
【００６６】
表示制御部２０２は、クーポンデータの送信時に、たとえば「クーポン発行中」が記載された画面などの予め規定された画面を表示するようにしてもよい。音声出力機能を有する場合には、表示制御部２０２は、同時に規定された音声も出力するようにしてもよい。他の例として、表示制御部２０２は、メイン広告またはサブ広告を単独で画面サイズで表示するようにしてもよい。このようにすることで、クーポンの発行を広くアピールすることができ、宣伝効果を高めることができる。
【００６７】
図１１は、上記動作を行なうためのサーバ１００の機能構成の具体例を示すブロック図である。図１１の各機能は、サーバ１００のＣＰＵ１０がＲＯＭ１１に記憶されているプログラムを読み出してＲＡＭ１２上に展開しつつ実行することで、主にＣＰＵ１０に形成されるものである。しかしながら、少なくとも一部が、図２に表わされたハードウェア構成によって実現されてもよい。
【００６８】
図１１を参照して、サーバ１００のメモリ１３には、ＰＣ３００から送信された広告情報を記憶するための記憶領域である広告情報記憶部１３１と、クーポン情報を記憶するための記憶領域であるクーポン情報記憶部１３２と、各広告主の費用情報を記憶するための記憶領域である費用情報記憶部１３３とが設けられる。
【００６９】
さらに図１１を参照して、サーバ１００のＣＰＵ１０は、広告主のＰＣ３００から第１通信部１７を介して広告情報の入力を受け付けるための広告情報入力部１０１と、クーポン情報の入力を受け付けるためのクーポン情報入力部１０２と、デジタルサイネージ２００から第２通信部１８を介して携帯端末５００から受けた指示の通知を受け付けるための指示入力部１０３と、予め記憶している表示を更新するタイミング、または表示切替の指示に応じて、１つの画面に表示する複数（本例では２つ）の広告の組み合わせを決定するための組み合わせ決定部１０４と、決定された組み合わせに該当する広告情報を読み出してデジタルサイネージ２００での表示データを生成するための表示データ生成部１０５と、携帯端末５００からのクーポンの要求に応じてデジタルサイネージ２００で提供するクーポンデータを生成するためのクーポンデータ生成部１０６と、生成したクーポンデータを第２通信部１８を介してデジタルサイネージ２００に送信するためのクーポンデータ送信部１０７と、第２通信部１８を介してデジタルサイネージ２００からクーポン提供時情報の入力を受け付けるためのクーポン提供時情報入力部１０８と、広告主ごとの費用を管理する処理を行なってその処理結果に基づいて費用情報を更新するための費用処理部１０９とを含む。
【００７０】
組み合わせ決定部１０４は、たとえば、予め所定時間ごとに広告の組み合わせを更新すると設定されており、表示順が規定されている場合、上記所定時間ごとに表示順に従って組み合わせを決定することができる。他の例として、組み合わせ決定部１０４は、デジタルサイネージ２００での表示画面の表示領域２５２に表示された広告の切り替えを指示するためのメニューによって表示対象の広告が指定された場合には、指定された広告に組み合わせる広告を決定する。
【００７１】
また、組み合わせ決定部１０４は、クーポン提供時情報などに基づいて、たとえばクーポン提供時にデジタルサイネージ２００付近にいるユーザの属性や、温度、天候、季節、曜日などの表示時の環境などに応じて広告の組み合わせを決定してもよい。これは、予め広告に対象とするユーザの属性等が設定されており、適した広告を抽出することで実現できる。このようにすることで、より宣伝効果を高めることができる。
【００７２】
また、広告ごとに組み合わせる広告または組み合わせたくない広告の属性が設定されていてもよく、組み合わせ決定部１０４はこの属性に応じて組み合わせを決定するようにしてもよい。または、広告ごとにカテゴリに分類されており、組み合わせ決定部１０４が、同じカテゴリの広告を組み合わせる、または予め設定された組み合わせるカテゴリに応じて組み合わせを決定するようにしてもよい。たとえば、カテゴリＡとカテゴリＢとを組み合わせる、と予め設定してくことで、カテゴリＡに分類されている店Ａ１と、カテゴリＢに分類されている店Ｂ１との広告が組み合わせられることになる。
【００７３】
このような属性およびカテゴリは、ＰＣ３００によって設定されてもよいし、予めキーワードや広告主の事業内容ごとに記憶されていてもよい。このようにすることで、相乗効果を狙って宣伝効果を高めたり、企業イメージを高めたりすることができる。
【００７４】
クーポンデータ生成部１０６は、クーポンの要求に含まれているメイン広告を特定する情報に基づいて、その広告に関連付けられたクーポン情報を読み出す。さらに、クーポンデータ生成部１０６は、クーポンが要求された際にデジタルサイネージ２００に表示されていた他の広告（サブ広告）を特定する。そして、クーポンデータ生成部１０６は、メイン広告のクーポン情報に基づいてクーポンデータを生成すると共に、そのクーポンデータにサブ広告も組み込む。これにより、図８のようなクーポンを表示させるクーポンデータが生成されることになる。
【００７５】
なお、クーポンデータ生成部１０６は、クーポン提供情報に含まれるクーポンを要求したユーザの情報やデジタルサイネージ２００の周辺情報、環境情報などに基づいて、複数記憶されているクーポン情報のうち、適したクーポン情報を選択してクーポンデータの生成に用いるようにしてもよい。
【００７６】
たとえば、クーポンデータ生成部１０６は、クーポンを要求したユーザの性別、年齢、人数、年齢構成などを画像解析や携帯端末５００から情報などによって特定し、予めクーポン情報ごとに対象とするユーザの属性として設定されているそれら情報と比較して、同じ広告に関連付けられた複数のクーポン情報のうちから適したクーポン情報を選択することができる。これにより、クーポンをユーザに応じてカスタマイズすることができ、より宣伝効果を得ることができる。
【００７７】
また、他の例として、クーポンデータ生成部１０６は、クーポン提供時情報から得られるクーポン要求時の温度や、他の装置と通信することで得られる天候、予め記憶されている季節や曜日などを特定し、予めクーポン情報ごとに設定されている対象とする周辺情報、環境情報と比較して、同じ広告に関連付けられた複数のクーポン情報のうちから適したクーポン情報を選択することができる。具体的には、キャッチフレーズやお勧め情報等のテキストデータや、お店のメニューや品物等の画像データを選択することができる。これにより、クーポンを周辺情報、環境情報に応じてカスタマイズすることができ、より宣伝効果を得ることができる。
【００７８】
カスタマイズ用の複数のクーポン情報は、広告主から予め取得しておく（上記ステップＳ１）。さらに、このようにクーポンのカスタマイズに用いられた情報は、当該クーポンの広告主の有するＰＣ３００に対して送信されてもよい。このようにすることで、広告主側ではどのようなユーザ層、どのような環境にてクーポンが要求されるかを知ることができる。
【００７９】
費用処理部１０９は、表示データが生成されてデジタルサイネージ２００に送信されるたびに（またはデジタルサイネージ２００で表示されるたびに）、表示対象の広告の広告主に広告表示費用を課す。また、費用処理部１０９は、クーポンデータが生成されてデジタルサイネージ２００に送信されるたびに（またはデジタルサイネージ２００から携帯端末５００に送信されるたびに）、メイン広告の広告主にクーポン提供費用を課す。さらに、費用処理部１０９は、クーポンデータが生成されてデジタルサイネージ２００に送信されるたびに（またはデジタルサイネージ２００から携帯端末５００に送信されるたびに）、サブ広告の広告主に広告閲覧費用を課すと共に、メイン広告の広告主に対しては閲覧提供費用を支払う。
【００８０】
なお、費用処理部１０９は、クーポンのカスタマイズの際に用いられるユーザの属性や環境の情報を利用して、クーポン提供費用を算出するようにしてもよい。たとえば、費用処理部１０９は、ユーザの属性やクーポン提供時の環境が、予めクーポン情報に対象として設定されているユーザの属性や環境に近いほど高い係数を乗じる、などしてクーポン提供費用を算出するようにしてもよい。そのようにすることで、宣伝効果の高低に応じた費用となるため、広告主に公平感を与えることができる。
【００８１】
なお、先述したように、デジタルサイネージ２００が複数台であって、サーバ１００がそれぞれを制御する場合、サーバ１００のメモリ１３には各デジタルサイネージの情報を記憶しておくための記憶領域が設けられて、デジタルサイネージごとに表示した広告や提供したクーポンを記憶するようにしてもよい。さらに、デジタルサイネージ２００の設置位置などの情報も、クーポンのカスタマイズや費用の算出に利用されてもよい。
【００８２】
＜動作フロー＞
図１２は、サーバ１００での動作の流れを表わしたフローチャートであって、サーバ１００での表示管理処理、クーポン提供処理、および費用管理処理の流れを表わしたものである。図１２のフローチャートに表わされた動作は、サーバ１００のＣＰＵ１０がＲＯＭ１１に記憶されているプログラムを読み出してＲＡＭ１２上に展開しつつ実行し、図１１の各機能を発揮させることによって実現される。
【００８３】
図１２を参照して、サーバ１００のＣＰＵ１０は、予め記憶している広告情報の中から表示対象とする複数の広告の組み合わせを決定する（ステップＳ１０１）。この決定は、乱数表などを用いてランダムに行なわれるものであってもよいし、デジタルサイネージ２００周辺のユーザの特性（性別、年齢等）をデジタルサイネージ２００から取得して広告情報に設定されているユーザの属性に応じて広告を選択することでなされてもよいし、各広告情報に設定されている組み合わせを許否する広告の属性等に基づいて選択することでなされてもよいし、ユーザから表示する広告の指定を受け付けることでその広告と他の広告とを選択することでなされてもよい。
【００８４】
ＣＰＵ１０は、表示対象とする各広告の広告情報を読み出して表示データを生成し（ステップＳ１０３）、デジタルサイネージ２００に送信することで、デジタルサイネージ２００に対して広告の表示を指示する（ステップＳ１０５）。なお、このときＣＰＵ１０は、表示する各広告の広告主に対して広告表示費用を徴収する費用管理処理を行なう（ステップＳ１０７）。
【００８５】
ＣＰＵ１０は、次にデジタルサイネージ２００での広告の表示を切り替えるタイミングにおいて（ステップＳ１０９でＹＥＳ）、上記ステップＳ１０１に動作を戻して以上の動作を再度行なう。表示を切り替えるタイミングとは、たとえば予め規定された時間間隔や時刻に達したタイミングであってもよいし、ユーザから表示の切り替えを指示されたタイミングであってもよい。
【００８６】
携帯端末５００からのクーポンの要求があったことがデジタルサイネージ２００からサーバ１００に通知されると（ステップＳ１１１でＹＥＳ）、ＣＰＵ１０は通知されたメイン広告に関連付けて記憶されているクーポン情報を読み出すと共に、そのときの表示のメイン広告以外の広告であるサブ広告の広告情報を読み出して（ステップＳ１１３）、それらを用いてクーポンデータを生成する（ステップＳ１１５）。ここでは、ＣＰＵ１０は、好ましくは、メイン広告のクーポン情報に基づいた内容にサブ広告を組み込んで、図８のようなクーポンのためのクーポンデータを生成する。
【００８７】
ＣＰＵ１０は生成したクーポンデータをデジタルサイネージ２００に送信することで、デジタルサイネージにクーポンの発行を指示する（ステップＳ１１７）。
【００８８】
なお、このときＣＰＵ１０は、クーポンを発行したメイン広告の広告主に対してクーポン提供費用を徴収する費用管理処理を行なう（ステップＳ１１９）。さらに、ＣＰＵ１０は、クーポンの要求がされた際の表示にメイン広告の他のサブ広告が表示されていること、または、クーポンにサブ広告が組み込まれていることによって、メイン広告の広告主に対して閲覧提供費用を支払うと共に、サブ広告の広告主に対して広告閲覧費用を徴収する費用管理処理を行なう（ステップＳ１２１）。
【００８９】
ＣＰＵ１０は、クーポン発行の後に動作を上記ステップＳ１０９に戻して、表示を切り替えるタイミングに達したか、または、クーポンの要求があったかを監視する。
【００９０】
＜実施の形態の効果＞
本システムにおいてこのような動作が行なわれることで、本システムはデジタルサイネージにて同時に複数の広告を表示させることができる。そのため、ユーザは、１つの広告を閲覧するタイミングに他の広告も閲覧の機会を得ることになるため、本システムは宣伝効果を高めることができるという広告主側のメリットを生じることができる。
【００９１】
一方、ユーザ側も１つの広告を閲覧する際に同時に他の広告も閲覧することができ、本システムは新たな情報を得たりクーポンを得たりする機会を効率的に得ることができるというユーザ側のメリットも生じることになる。
【００９２】
さらに、本システムにおいては、サーバ１００で費用管理を自動的に行なうことができ、広告の表示管理をさらに容易にすることができる。
【００９３】
すなわち、サーバ１００はデジタルサイネージに広告を表示することで自動的に各広告主に対して課金することができる。
【００９４】
さらに、同時に表示された広告のうちから１つの広告がクーポンの発行のために選択されたり、表示の対象として（表示の切り替え時に）選択されたりした場合に、選択されたメイン広告以外の他の広告（サブ広告）について、メイン広告の閲覧に乗じて閲覧の機会が得られたものとして、サブ広告主からその費用を徴収すると共にメイン広告主に対して報酬的な支払いが自動的に行なわれる。これにより、サブ広告側で閲覧の機会が得られると共に、メイン広告側にはサブ広告と共に同時に表示されるメリットが生じることになる。
【００９５】
＜他の例＞
なお、上の例では、本システムの表示装置としてデジタルサイネージ２００が利用されるものとしているが、デジタルサイネージに替えて予め登録されている携帯端末が利用されて、携帯端末に自動的に広告が配信されてもよい。このような自動的な配信はプッシュ式とも呼ばれる。この場合、サーバ１００は同様にして表示データを生成し、無線ＬＡＮ（Local  Area  Network）などの無線通信可能な範囲に対して出力する。その範囲に携帯端末が存在すると、該携帯端末に広告が表示されることになる。ユーザが携帯端末においてその広告に対して表示を切り替える指示を行なうと、サーバ１００は上記動作と同様にして表示データを再度作成し、出力する。また、ユーザが携帯端末においてクーポンを要求する指示を行なうと、サーバ１００はクーポンデータを生成して該携帯端末に出力すると共に、上記費用管理処理を行なう。
【００９６】
このようにすることでも、同様に、広告やクーポンによる宣伝効果を得ることができると共に、その費用管理をサーバ１００側で自動的に行なうことができて費用管理が容易となる。
【００９７】
または、サーバ１００は、上記範囲内の携帯端末に対してデジタルサイネージ２００の位置を配信するようにしてもよい。このようにすることでデジタルサイネージ２００に表示される広告の閲覧の可能性を高めることができ、宣伝効果を高めることができる。
【００９８】
さらに、サーバ１００のＣＰＵ１０に上述の動作を行なわせるためのプログラムを提供することもできる。このようなプログラムは、コンピュータに付属するフレキシブルディスク、ＣＤ−ＲＯＭ（Compact  Disk-Read  Only  Memory）、ＲＯＭ、ＲＡＭおよびメモリカードなどのコンピュータ読み取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００９９】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１００】
また、本発明にかかるプログラムは他のプログラムの一部に組み込まれて提供されるものであってもよい。その場合にも、プログラム自体には上記他のプログラムに含まれるモジュールが含まれず、他のプログラムと協働して処理が実行される。このような他のプログラムに組み込まれたプログラムも、本発明にかかるプログラムに含まれ得る。
【０１０１】
提供されるプログラム製品は、ハードディスクなどのプログラム格納部にインストールされて実行される。なお、プログラム製品は、プログラム自体と、プログラムが記録された記録媒体とを含む。
【０１０２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０３】
１０，２０，３０，５０  ＣＰＵ、１１，２１，３１，５１  ＲＯＭ、１２，２２，３２，５２  ＲＡＭ、１３，２３，３３，５３  メモリ、１４，２４，３４，５４  操作部、１７，３７  第１通信部、１８，２８  第２通信部、２５，３５，５５  ディスプレイ、２９，５９  第３通信部、１００  サーバ、１０１  広告情報入力部、１０２  クーポン情報入力部、１０３  指示入力部、１０４  組み合わせ決定部、１０５  表示データ生成部、１０６  クーポンデータ生成部、１０７，２０７  クーポンデータ送信部、１０８  クーポン提供時情報入力部、１０９  費用処理部、１３１  広告情報記憶部、１３２  クーポン情報記憶部、１３３  費用情報記憶部、２００  デジタルサイネージ、２０１  表示データ入力部、２０２  表示制御部、２０３  クーポン要求入力部、２０４  切替指示入力部、２０５  指示送信部、２０６  クーポンデータ入力部、２５１，２５２  表示領域、３００  ＰＣ、４００  ネットワーク、５００  携帯端末。
【図１】
2014048700.tif 000003
【図２】
2014048700.tif 000004
【図３】
2014048700.tif 000005
【図４】
2014048700.tif 000006
【図５】
2014048700.tif 000007
【図６】
2014048700.tif 000008
【図７】
2014048700.tif 000009
【図８】
2014048700.tif 000010
【図９】
2014048700.tif 000011
【図１０】
2014048700.tif 000012
【図１１】
2014048700.tif 000013
【図１２】
2014048700.tif 000014